(57)【要約】【課題】  工事の検査を検査員が現場で行ったかどうかを確認することができる検査情報管理サーバ及び検査情報管理方法を提供する。【解決手段】  検査情報管理サーバ（１）は、電力会社（２）が指揮監督する土木又は建築工事の検査員（５）が操作する検査用端末（６）からネットワークを介して送信される検査データ（８）を記録管理するサーバである。本サーバ（１）は、検査データ（８）と共に送られる検査員（５）の位置データ（１１）を工事現場（４）の位置データと照合し、その結果を出力する。【選択図】  図１
2006178584.tif 000002
【特許請求の範囲】
【請求項１】
工事の検査員が操作する端末からネットワークを介して送信される前記工事の検査結果を記録管理する検査情報管理サーバにおいて、前記検査結果と共に送られる前記検査員の位置情報を前記工事の現場の位置情報と照合し、その結果を出力することを特徴とする検査情報管理サーバ。
【請求項２】
請求項１記載の検査情報管理サーバにおいて、前記検査員の位置情報は、複数のＧＰＳ衛星から送信される信号に基づいてＧＰＳ受信部で求めた座標であることを特徴とする検査情報管理サーバ。
【請求項３】
請求項１又は２記載の検査情報管理サーバにおいて、前記工事は、電力会社が指揮監督する土木又は建築工事であることを特徴とする検査情報管理サーバ。
【請求項４】
工事の検査員が操作する端末からネットワークを介して送信される前記工事の検査結果を記録管理する検査情報管理方法において、
前記検査結果と共に送られる前記検査員の位置情報を前記工事の現場の位置情報と照合するステップと、
その照合した結果を出力するステップと
を含むことを特徴とする検査情報管理方法。
【請求項５】
請求項４記載の検査情報管理方法において、前記検査員の位置情報は、複数のＧＰＳ衛星から送信される信号に基づいてＧＰＳ受信部で求めた座標であることを特徴とする検査情報管理方法。
【請求項６】
請求項４又は５記載の検査情報管理方法において、前記工事は、電力会社が指揮監督する土木又は建築工事であることを特徴とする検査情報管理方法。
【発明の詳細な説明】
【技術分野】
【０００１】
本発明は、工事が設計図書等の基準通りに施工されたかどうかを調べる検査に関する。更に詳細には、この検査が、検査員によって現場で行われたことを確認する技術に関する。
【背景技術】
【０００２】
一般に、発電所や変電所等の電力施設では、電力機器や構造物等の設備の異常の有無及びその内容を調べる点検が定期的又は緊急時に行われており、これらの設備の新規設置又は修繕の際には、工事が所定の基準どおりに施工されたかどうかを調べる検査が行われる。
【０００３】
検査は、設計書や指示書の記載等の所定の基準どおりに工事が行われたかどうかを調べるため、検査方法及び判定基準が記載されたチェックシートに従って工事中又は工事完了後に検査員が適宜行う。
【０００４】
下記特許文献１には、工事監理者が建築現場に出向かなくても簡単且つ迅速に、設計図書通りに工事が行われているかを検査することができる建築物の施工状況確認方法が記載されている。この技術では、検査員は、検査箇所を表す３次元画像と同じ画像が得られるように現場で検査箇所を撮影し、その画像をネットワークを介して管理サーバへ送信する。管理サーバ側では、オペレータが、建築物が仕様書通りに施工されているか否かを目視により確認するため予め作成した目視用３次元画像に、検査員が撮影した画像を照らし合わせて施工状況を確認する。
【０００５】
【特許文献１】特開２００４−７８９８７号公報
【発明の開示】
【発明が解決しようとする課題】
【０００６】
しかしながら、上記文献の技術は、検査箇所を表す３次元画像及び目視用３次元画像を工事前に予め作成しなければならず、手間とコストが掛かる。また、工事監理者は現場に出向かなくてもよいが、検査箇所を撮影するだけのために検査員が現場へ出向かなければならないうえに、予め作成した３次元画像と同じ画像を撮影するのは困難である。
【０００７】
更に、前述の電力施設で行われる検査の場合、同時期に複数の工事が重なることがあるうえに、検査項目の数が多いことを理由に、施工者自身が行った検査の結果を、現場以外の場所で検査員がチェックすることにより検査したものとみなす場合がある。この場合、施工者自身が行った検査の結果を信頼できるのかどうかという問題があるため、検査は、決められた検査員自身が現場へ出向いて行うことが望ましい。
【０００８】
本発明は、上記の事情に鑑み、工事の検査を検査員が現場で行ったかどうかを確認することができる検査情報管理サーバ及び検査情報管理方法を提供することを目的とする。
【課題を解決するための手段】
【０００９】
本発明の検査情報管理サーバは、工事の検査員が操作する端末からネットワークを介して送信される前記工事の検査結果を記録管理するサーバであって、前記検査結果と共に送られる前記検査員の位置情報を前記工事の現場の位置情報と照合し、その結果を出力することを特徴とする。尚、本発明でいうサーバには、ハードウェアとしてのコンピュータから成る装置のほか、コンピュータプログラムそれ自体をも含む。
【００１０】
上記サーバの実施形態では、前記検査員の位置情報は、複数のＧＰＳ衛星から送信される信号に基づいてＧＰＳ受信部で求めた座標である。
【００１１】
上記サーバの別の実施形態では、前記工事は、電力会社が指揮監督する土木又は建築工事である。
【００１２】
本発明の検査情報管理方法は、工事の検査員が操作する端末からネットワークを介して送信される前記工事の検査結果を記録管理する方法であって、前記検査結果と共に送られる前記検査員の位置情報を前記工事の現場の位置情報と照合するステップと、その照合した結果を出力するステップとを含むことを特徴とする。
【００１３】
上記方法の実施形態では、前記検査員の位置情報は、複数のＧＰＳ衛星から送信される信号に基づいてＧＰＳ受信部で求めた座標である。
【００１４】
上記方法の別の実施形態では、前記工事は、電力会社が指揮監督する土木又は建築工事である。
【発明の効果】
【００１５】
本発明の検査情報管理サーバによれば、検査員が操作する端末からは、ネットワーク経由で検査結果と検査員の位置を表す位置情報が送信されるため、検査員の位置情報と工事現場の位置情報との照合結果を出力することにより、当該工事の検査が検査員によって現場で行われたかどうかを確認することができる。また、照合の結果、位置の不一致が認められた場合は、当該検査員に事情説明を求めることができる。
【００１６】
また、検査員の位置情報としては、ＧＰＳ受信部で求める座標を用いることができる。
【００１７】
更に、電力会社が指揮監督する土木又は建築工事の検査データを記録管理することができる。
【発明を実施するための最良の形態】
【００１８】
図１は、実施例の検査情報管理サーバ１を用いて構成される検査情報管理システムを示す。
【００１９】
この検査情報管理システムは、
電力会社（本社）２が指揮監督する土木又は建築工事の工事現場４で検査員５が操作する検査用端末（例えば、ノート型パソコン）６と、
電力会社２で保守管理され、検査用端末６からインターネット等の通信回線を介して接続可能な検査情報管理サーバ１
とを含んで構成される。
【００２０】
検査員５は、工事が設計図書や仕様書等の基準通りに施工されたかどうかを工事現場４で検査し、検査結果７を検査用端末６に入力して検査データ８として検査情報管理サーバ１へ送信する。検査結果７は、例えば、検査日、検査時刻、異常の有無を表す結果コード、及びコメントで構成される。また、検査用端末６には、複数（例えば、３つ）のＧＰＳ（Global Positioning System）衛星９から送信される信号に基づいて、該信号を受信した位置の座標を逐次又は所定の時間間隔（例えば、５分間隔）で求め、それを出力するＧＰＳ受信部１０が接続されている。このＧＰＳ受信部１０で求めた座標、即ち検査員５の位置の座標を表す位置データ１１も、検査結果７とともに、検査データ８として検査情報管理サーバ１側へ送信される。
【００２１】
電力会社２側には、検査情報管理サーバ１のほかに、
検査情報管理サーバ１が検査用端末６から受信した検査データ８、検査員５の位置を工事現場４の位置と照合することにより検査が行われた場所（以下「検査現場」という）が工事現場４と一致するか否かを表すデータ、及びその他所定の事項で構成される管理情報１３を提示する手段としてのモニタ１４と、
検査情報管理サーバ１が検査用端末６から受信した検査データ８の内容に基づいて、ＷＥＢページ（htmlファイル）を作成してネットワーク上に公開するＷＷＷサーバ１５
が設けられている。
【００２２】
ＨＴＭＬ（Hyper Text Markup Language）は、例えば、インターネットで公開されるホームページ（ＷＥＢページ）の作成に用いられるプログラミング言語である。
【００２３】
ＷＷＷサーバ１５で作成されるＷＥＢページの内容は、上記管理情報１３の内容と同じでもよいが、例えば、検査員５の個人情報及び電力会社２の機密情報を含まない開示情報１６として、管理情報１３と区別するのが望ましい。このＷＥＢページは、インターネットユーザである情報参照者（例えば、工事現場の地域住民等の当該工事に関心を持っている者など）１８が、パソコン１９や携帯電話機２０等の情報端末からネットワークを介してＷＷＷサーバ１５にアクセスして閲覧することができる。
【００２４】
また、電力会社２側のモニタ１４で提示される管理情報１３及びＷＷＷサーバ１５が開示する開示情報１６には、検査用端末６から送信される検査データ８のほかに、工事名、工事現場名、検査種類、及び検査内容をそれぞれ含んでいる。工事名は、当該検査の対象である工事の名称であり、工事現場名は、当該工事が行われている現場（例えば、発電所など）の名称であり、検査種類は、工程途中に行う各種の中間検査や全工程終了時に行う工事完了時検査など、土木又は建築工事に必要とされうる検査のことであり、検査内容は、一の検査種類を選択した場合に、その検査に含まれる各検査工程の内容である。
【００２５】
図２は、検査情報管理サーバ１及び検査用端末６の構成及び検査情報管理システム内での情報の流れを示す。
【００２６】
検査情報管理サーバ１は、
ネットワークを介して外部との通信を行う通信部２３と、
検査用端末６側へ送信するための検査方法及び判定基準を含む検査の指示情報（例えば、htmlファイル）を生成する指示情報生成部２４と、
検査用端末６からネットワークを介して送信される検査データ８、指示情報生成部２４で生成される指示情報の書式ファイル、及び後述のマスタファイル等の情報を格納するデータ格納部（例えば、メモリやハードディスクなど）２５と、
検査用端末６から送信される検査データ８のうちＧＰＳ受信部１０で求めたＧＰＳ受信部１０（即ち検査員５）の位置を工事現場４の位置と照合し、その結果を出力する位置情報照合部２７と、
検査データ８及び位置情報照合部２７で求めた照合結果等の管理情報１３を表すデータに基づいて、モニタ１４で提示する管理ページ（例えば、htmlファイル）を生成する管理ページ生成部２８と、
上記管理ページをモニタ１４に表示させる情報閲覧部３０と、
管理情報１３のうち、予め決めた開示情報１６を表すデータを取り出してＷＷＷサーバ（World Wide Web Server）１５へ送信する開示情報抽出部３２と
で構成されている。
【００２７】
ＷＷＷサーバ１５は、上記機能を実現するハードウェアとしてのコンピュータ（装置）を表すほか、当該機能をハードウェア（コンピュータ）と協働して実現するためのソフトウェア自体、又はこの装置とソフトウェアの両方を表す。
【００２８】
検査情報管理サーバ１は、一般的なＷＥＢサーバソフトウェア（例えば、
「ＩＩＳ」など）に基づいて動作し、検査用端末６側からの要求に応じて、指示情報生成部２４を制御し、適宜の指示情報を生成させて検査用端末６側へ送信させる。
【００２９】
検査情報管理サーバ１のデータ格納部２５には、検査データ８及び書式ファイルのほかに、次のようなマスタファイル及びログファイルが格納されており、検査情報管理サーバ１内で行われる演算処理に用いられる。
【００３０】
図３は、工事コード及び電力会社２が現在指揮管理している又は過去に行った工事の名称から成る工事マスタを示す。工事マスタは、例えば、電力会社２において新たに工事の計画が策定された時点で、それに関するデータを入力することにより更新される。
【００３１】
図４は、現場コード、現在及び過去の工事現場の名称、及び各工事現場の範囲を多角形（例えば、四角形）に単純化して求めた角部の座標から成る現場マスタを示す。座標は、例えば、単純化した工事現場の範囲の角部ごとに求めた緯度（例えば、北緯「Ｎ」）及び経度（例えば、東経「Ｅ」）で表される。
【００３２】
図５は、検査の種類及び検種コードから成る検種マスタを示す。検種マスタに格納される検査種類は、電力会社２で従来の検査の際に用いていた検査要領等に従って、決めることができる。
【００３３】
図６は、検査員コード及び検査員名から成る検査員マスタを示す。図示の例では、検査員に関する情報は、氏名のみであるが、各検査員の所属部署や専門分野等の個人情報を格納することもできる。
【００３４】
図７は、検査コード、検査内容、検査方法、及び判定基準から成る検査マスタを示す。検査マスタは、検査の種類ごとに作成され、具体的には、検種マスタ（図５）内の検種コードに対応付けられている。また、検査方法及び判定基準の欄に記載されたデータに含まれる「<BR>」は、ＷＥＢページ上の「改行」を表すhtmlである。
【００３５】
図８は、検査用端末６からネットワークを介して送信される検査データ８及びこれに基づいて位置情報照合部２７が求める照合結果等のデータを蓄積して構成されるログファイルを示す。ログファイルは、検査日、検査データ８の送信時を示す検査時刻、工事コード、現場コード、検種コード、ＧＰＳ受信部１０で求めた座標（緯度及び経度）、検査員コード、検査コード、検査結果(適合又は不適合のいずれかを表すデータ)、及びコメントで構成されている。検査情報管理サーバ１の管理ページ生成部２８は、ログファイルを参照することにより、このログファイル中の任意の情報（レコード）を取り出し、書式ファイルに当て嵌めることにより適宜の管理ページ（htmlファイル）を作成することができる。
【００３６】
検査情報管理サーバ１の指示情報生成部２４は、データ格納部２５にある書式ファイルと適宜のマスタファイル（例えば、検査マスタ（図７））中のデータとを用いて、指示情報として、例えば、少なくとも検査内容、検査方法、及び判定基準を提示するＷＥＢページ（htmlファイル）を生成する。また、検査マスタ中のデータを用いて指示情報を生成することにより、ＷＥＢページ上では「<BR>」が挿入された位置で文章が改行される。
【００３７】
検査端末６側へ送信される指示情報（ＷＥＢページ）は、指示情報生成部２４が、例えば、ｈｔｍｌファイルから成る書式（書式ページ）に、検査マスタ中の適宜のデータを挿入することにより作成することができる。或いは、指示情報生成部２４が、適宜のマスタファイルを参照して得たデータに基づいて、指示情報を構成するデータのＸＭＬ（Extensible Markup Language）ファイルを作成し、書式を指定するＸＳＬ（Extensible Stylesheet Language）ファイルに基づいて個別の指示情報（XMLファイル）を作成することもできる。個別の指示情報（XMLファイル）は、検査情報管理サーバ１の指示情報生成部２４がｈｔｍｌファイルに変換することもできるし、検査用端末６の情報閲覧部４５で変換させるようにしてもよい。
【００３８】
再び図２に戻り、ＷＷＷサーバ１５は、
検査情報管理サーバ１の開示情報抽出部３２から送信される開示情報１６を表すデータに基づいて、ＷＥＢページ（htmlファイル）を生成するＷＥＢページ生成部３５と、
生成したＷＥＢページを格納するデータ格納部（例えば、ハードディスク）３７と、
ネットワークを介して外部との通信を行う通信部３９と
で構成されている。
【００３９】
ＷＷＷサーバ１５は、一般的なＷＥＢサーバソフトウェア（例えば、「ＩＩＳ」など）に基づいて動作し、ネットワークを介して接続する情報参照者１８からの要求に応じて、データ格納部３７内の適宜のＷＥＢページ（htmlファイル）を取り出して情報参照者１８側へ送信する。
【００４０】
検査用端末６は、
ネットワークを介して通信を行う通信部４１と、
画像、映像、及び文字等の情報を表示する手段としてのモニタ４３と、
検査情報管理サーバ１側から送信される指示情報（htmlファイル）をモニタ４３上で閲覧させる情報閲覧部４５と、
検査結果７その他任意のデータを入力することができる入力部（例えば、キーボード及びマウスなど）４６と、
ＧＰＳ受信部１０から送信される信号を受信する通信部４８と、
検査結果７及びＧＰＳ受信部１０から送信される位置データ１１を検査データ８として検査情報管理サーバ１側へ同時に送信するように制御する通信制御部４９と
で構成されている。
【００４１】
ネットワークを介して通信を行う通信部４１は、例えば、工事現場４の通信設備の事情に応じて、無線通信可能なカード型のアンテナやＬＡＮケーブル等を装着することにより、ネットワークを介して検査情報管理サーバ１との間で通信を行うことができる。
【００４２】
情報閲覧部４５としては、検査情報管理サーバ１側が指示情報をＸＭＬファイルのまま送信する構成になっている場合、当該ファイルをｈｔｍｌファイルに変換する機能を備えたものを採用するのがよい。
【００４３】
図９は、実施例の検査情報管理方法のフローチャートを示す。更に詳細には、このフローチャートは、検査情報管理サーバ１内で行われる情報処理の流れを示す。
【００４４】
まず、検査情報管理サーバ１の指示情報生成部２４は、検査用端末６側からネットワークを介して指示情報の送信要求があるまで待機する（ステップ［以下、ＳＴと表記する］１）。指示情報の送信要求は、例えば、工事現場４で検査員５が検査用端末６を操作して、ネットワークを介して検査情報管理サーバ１へアクセスし、予めデータ格納部２５に格納しておいた指示情報提示用のＷＥＢページ（htmlファイル）を通じて行うことができる。具体的には、検査情報管理サーバ１へアクセスすると、検査用端末６のモニタ４３には、図１０に示す指示情報要求画面（トップページ）５１が表示される。
【００４５】
指示情報要求画面５１は、
検査情報管理サーバ１側から送信される指示情報の内容を提示する指示情報表示欄５３と、
検査情報管理サーバ１の指示情報生成部２３が参照すべき検査マスタ（図７）を特定するキーワードとなる工事現場４で現在施工中の工事名、工事現場４の現場名、及び実施予定の検査の種類に関するデータを入力するための検索情報入力欄５４と
で構成されている。
【００４６】
指示情報要求画面（トップページ）５１が表示されている間は、未だ検査情報管理サーバ１側から指示情報が送信されていないため、指示情報表示欄５３には、検査情報管理サーバ１側に対し指示情報を要求すべき旨が提示されている。
【００４７】
検索情報入力欄５４には、
工事現場４で施工中の工事の名称を特定する工事コードを入力する工事コード入力ボックス５６と、
工事現場４の現場名を特定する現場コードを入力する現場コード入力ボックス５７と、
実施予定の検査の種類を選択することができる検種リストボックス５９と、
実施予定の検査を行う検査員を特定する検査員コード入力ボックス６０と、
押下されることにより、上記各ボックス５６，５７，６０及びリストボックス５９で入力されたデータとともに、指示情報の送信を要求するメッセージを検査情報管理サーバ１側へ送信する指示情報要求ボタン６２と
で構成されている。
【００４８】
検査員は、検査端末６の入力部４６を操作し、指示情報要求画面５１の検索情報入力欄５４に上記各データを入力し、指示情報要求ボタン６２を押下すると、入力されたデータ及び指示情報の送信を要求するメッセージが検査情報管理サーバ１側へ送信される。検査情報管理サーバ１側では、これを受信すると、指示情報生成部２４が、当該指示情報の要求が最初の送信要求であるかどうかを判別し（ＳＴ２）、当該判別結果が“ＹＥＳ”、即ち最初の送信要求だった場合、当該要求に応じた指示情報（htmlファイル）を生成して検査端末６へ送信する（ＳＴ３）。具体的には、指示情報生成部２４は、検査端末６側から送信されたデータが、指示情報要求画面５１で入力されたデータである、即ち検査結果８及び位置データ１１から成る検査データではない場合、最初の送信要求メッセージとして取り扱うことができる。また、最初又は第二回目以降の区別は、検査の種類ごとになされるものとし、複数種類の検査を連続して行う場合であっても、各種類の検査に関する最初の指示情報の送信要求は、それぞれ「最初」の要求として取り扱うのがよい。
【００４９】
そして、検査用端末６側では、最初の指示情報を受信すると、図１１に例示する指示情報提示画面６５がモニタ４３に表示される。指示情報提示画面６５は、前述の指示情報表示欄５３（図１０）のほかに、現在時刻、検査対象の工事名、当該工事現場の名称、当該検査の種類等の実施予定の検査に関する情報を提示するとともに、検査員５が検査結果７を入力するための検査結果入力欄６７が設けられている。
【００５０】
指示情報提示画面６５を構成する指示情報（htmlファイル）の作成方法について説明する。
【００５１】
まず、指示情報生成部２４は、検査端末６側から送信されたデータのうち、
工事コードを工事マスタ（図３）と照合して検査対象の工事の名称を表すデータを取得し、
現場コードを現場マスタ（図４）と照合して工事現場４の名称を表すデータを取得し、
検査種類を検種マスタ（図５）と照合して実施予定の検査の種類に対応する検種コードを取得するとともに、検種コードに対応する検査マスタ（図７）をデータ格納部２５内で選び、最も若い検査コード（例えば、０００１など）の行にあるデータ（レコード）を取得し、
検査員コードを検査員マスタ（図６）と照合して検査を行う検査員の氏名を表すデータを取得し、
取得したこれらのデータを、予めデータ格納部２５に格納しておいた書式ページ（例えば、htmlファイル）に当て嵌めることにより、検査端末６側へ送信すべき態様の指示情報（htmlファイル）を作成することができる。
【００５２】
更に詳細には、上記取得したデータのうち、検査マスタ（図７）から取得したデータは、指示情報提示画面６５の指示情報表示欄５３に表示される。また、工事名、工事現場、検査種類、及び検査員を表すデータは、検査結果入力欄６７に表示される。更に、検査結果入力欄６７には、上記データのほかに、検査日及び検査時刻が、検査用端末６に内蔵された時計（図示せず）から読み込まれて表示されるとともに、工事の施工状況が判定基準に適合するか又は不適合だったか（検査の結果）を選択するラジオボタン６９ａ，６９ｂ、検査時に気付いた事項等のコメントを記入することができるコメント入力ボックス７０、及び押下することにより検査結果７、位置データ１１並びに次の指示情報の送信要求メッセージを送信する検査データ送信ボタン７２が配置されている。尚、座標（Ｎ）及び座標（Ｅ）は、「計測中」と表示されているが、検査端末６に接続されたＧＰＳ受信部１０で求めた座標データを検査員５が勝手に変更する等のトラブルを考慮し、指示情報表示欄５３には表示させないこととしたためである。
【００５３】
工事現場４では、検査員５は、検査用端末６のモニタ４３に指示情報提示画面６５（図１１）が表示されると、指示情報表示欄５３に提示された検査内容、検査方法、及び判定基準に従って検査を行い、当該工事が判定基準を満たすように施工されているかどうかを確認する。そして、検査員５は、指示情報どおりに検査をした後に、検査用端末６の入力部４６を操作して、指示情報提示画面６５の検査結果入力欄６７内にある検査の結果を表す一対のラジオボタン６９ａ，６９ｂのいずれかを選択（例えば、マウスでクリック）し、必要であれば検査中に気付いた点や検査の結果が不適合となった理由等のコメントをコメント入力欄７０に入力して検査データ送信ボタン７２を押す（例えば、マウスでクリックする）。
【００５４】
指示情報提示画面６５上で検査データ送信ボタン７２が押下されると、検査用端末６の通信制御部４９は、ＧＰＳ受信部１０から送信された最新の位置データ１１（座標データ）を検査情報管理サーバ１側へ送信する。これにより、検査データ８（図１）を構成する検査結果７及び位置データ１１と次の指示情報の送信要求メッセージが同時（又は、ほぼ同時）に検査情報管理サーバ１側へ送信される。具体的には、検査情報管理サーバ１側へ送信される検査データ８は、検査日、検査時刻、検査の判定結果を示す結果コード及びコメントから成る検査結果７と、ＧＰＳ受信部１０で求めた座標（例えば、緯度及び経度）から成る位置データ１１で構成されている。
【００５５】
検査情報管理サーバ１側では、検査用端末６からネットワークを介して送信される検査データ８及び送信要求メッセージを受信すると、指示情報生成部２４は、当該送信要求が何回目の要求であるかを判断し、当該要求（ここでは第２回目の要求）に応じた指示情報（htmlファイル）を生成して検査用端末６側へ送信する（ＳＴ３）。第２回目以降の指示情報は、指示情報生成部２４が、当該検査に関する検査マスタ（図７）を参照し、直前に送信した指示情報を表すデータ（レコード）に含まれる検査コードの次のコード（例えば、値の１つ大きいコード）を選び、その選んだ検査コードと同じ行のデータ（レコード）に基づいて生成される。
【００５６】
指示情報生成部２４は、検査用端末６側へ指示情報を送信すると、上記送信要求メッセージが初回のものだったかどうかを判別し（ＳＴ２）、当該判別が“ＮＯ”、即ち第２回目以降の送信要求だった場合、検査データ８を位置情報照合部２７へ送る。
【００５７】
位置情報照合部２７は、その検査データ８に含まれるＧＰＳ受信部１０で求めた座標が、工事現場４内にあるか否かを求める（ＳＴ４）。具体的には、位置情報照合部２７は、現場マスタ（図４）のうち検査対象である工事現場４に関するデータ（レコード）を参照し、当該工事現場４の範囲を四角形に単純化して求めた四隅の座標と、検査データ８に含まれる座標とを照合し、検査データ８に含まれる座標が工事現場４の内側にあるかどうかを求める。この場合、ＧＰＳ受信部１０の演算誤差を考慮し、検査データ８に含まれる座標が、工事現場４の外側の所定幅（例えば、１００ｍ）の範囲内にある場合、工事現場４の内側にあるものとして取り扱うことができる。或いは、現場マスタ内の各工事現場の座標を、予め上記所定幅を考慮した値にしておくことも可能である。
【００５８】
位置情報照合部２７は、検査データ８に含まれる座標と工事現場４の座標との照合結果を求めた後、この照合結果及び検査データ８その他必要な事項で構成されるログデータをデータ格納部２５内のログファイル（図８）に書き込んでログファイルを更新するとともに（ＳＴ５）、管理情報（htmlファイル）１３を表すデータ（例えば、ログデータと同じ内容のもの）を管理ページ生成部２８へ送る。
【００５９】
また、位置情報照合部２７は、管理情報１３を作成するためのデータと同じデータを開示情報抽出部３２へ送り、開示情報抽出部３２が、このデータから検査員５の個人情報及び電力会社２の機密情報等の所定の事項を除いた開示情報１６をＷＷＷサーバ１５へ送信する（通信部は省略）。ＷＷＷサーバ１５側では、開示情報１６を受信すると、これに基づいて開示情報のＷＥＢページ（htmlファイル）を生成し、データ格納部３７に格納する。
【００６０】
ＷＷＷサーバ１のデータ格納部３７に格納されるＷＥＢページには、電力会社２が指揮監督する工事の検査に関する情報が含まれており、特に、ＧＰＳ受信部１０で求めた座標が工事現場４の範囲内にあるかどうかに基づいて、当該工事の検査が当該検査員によって現場で行われたどうかという事項が開示される点が特徴的である。これにより、工事現場４の近隣住民等の情報参照者１８は、パソコン１９や携帯電話機２０で、関心のある工事の施工状況を確認することができる。
【００６１】
一方、検査情報管理サーバ１側では、管理ページ生成部２８は、位置情報照合部２７から送られるデータに基づいて管理情報（htmlファイル）１３を生成し（ＳＴ７）、情報閲覧部３０がこれをモニタ１４に表示させる（ＳＴ８）。検査情報管理サーバ１のモニタ１４においても、検査データ８等から成る管理情報１３を確認することができ、当該工事の検査が当該検査員によって現場で行われたどうかを逐次チェックすることができる。
【００６２】
次に、指示情報生成部２４は、検査が終了したかどうかを判別し（ＳＴ９）、当該判別結果が“ＮＯ”、即ちまだ検査が終了していない場合、次の指示情報（htmlファイル）を生成し、検査用端末６側へ送信し（ＳＴ３）、再びＳＴ１へ移る。検査が終了したかどうかの判別は、例えば、指示情報生成部２４が直前に生成して送信した指示情報が、検査マスタ（図７）の最後の検査コードを含む列のデータ（レコード）に基づいて生成されたものであるか否かを識別することにより行われる。
【００６３】
一方、ＳＴ９の判別結果が“ＹＥＳ”、即ち当該検査に関する全工程が終了した場合、検査用端末６側に対し次に送信すべき指示情報がないので、これの代わりに検査が終了した旨のメッセージ（例えば、htmlファイル）を生成し、検査用端末６側へ送信する（ＳＴ１０）。検査用端末６側では、当該メッセージが表示部４３に表示され、検査員５は、検査が終了したことを認識することができる。また、連続して当該工事に関する別の検査を行う場合、再び指示情報要求画面（トップページ、図１０参照）５１へ移り、検索情報入力欄５４内に所定の事項に関するデータを入力し、検査情報管理サーバ１へ送信すればよい。
【００６４】
以上、本発明の実施例について説明したが、本発明はこれに限られず、検査情報管理サーバ１の指示情報生成部２４が検査の指示情報としてＷＥＢページ（htmlファイル）を作成する機能を、検査用端末６内に設け、検査用端末６が自ら指示情報（htmlファイル）を生成し、モニタ４３に提示することも可能である。
【００６５】
また、検査用端末１にアクセス可能な者を、ＩＤ情報の下で制限することができる。この場合、例えば、検査情報管理サーバ１に最初にアクセスしたとき、指示情報生成部２４が認証情報としてのログインＩＤとパスワードを入力させる画面（例えば、htmlファイル）を生成して送信し、認証がとれた後に指示情報要求画面５１（図１０）を送信するような構成にしておくことができる。
【図面の簡単な説明】
【００６６】
【図１】実施例の検査情報管理サーバを用いて構成される検査情報管理システムを示す図。
【図２】検査情報管理サーバ及び検査用端末の構成及び検査情報管理システム内での情報の流れを示す図。
【図３】工事コード及び電力会社が現在指揮管理している又は過去に行った工事の名称から成る工事マスタ。
【図４】現場コード、現在及び過去の工事の現場の名称、及び各工事現場の範囲を四角形に単純化して求めた角部の座標から成る現場マスタ。
【図５】検査の種類及び検種コードから成る検種マスタ。
【図６】検査員コード及び検査員名から成る検査員マスタ。
【図７】検査コード、検査内容、検査方法、及び判定基準から成る検査マスタ。
【図８】検査データ及びこれに基づいて位置情報照合部が求める照合結果等のデータを蓄積して構成されるログファイル。
【図９】実施例の検査情報管理方法のフローチャート。
【図１０】検査用端末のモニタに表示される指示情報要求画面を示す図。
【図１１】検査用端末のモニタに表示される指示情報提示画面を示す図。
【符号の説明】
【００６７】
１…検査情報管理サーバ、２…電力会社、４…工事現場、５…検査員、６…検査用端末、７…検査結果、８…検査データ、９…ＧＰＳ衛星、１０…ＧＰＳ受信部、１１…位置データ、１３…管理情報、１４，４３…モニタ、１５…ＷＷＷサーバ、１６…開示情報、１８…情報参照者、１９…パソコン、２０…携帯電話機、２３，３９，４１，４８…通信部、２４…指示情報生成部、２５，３７…データ格納部、２７…位置情報照合部、２８…管理ページ生成部、３０，４５…情報閲覧部、３２…開示情報抽出部、３５…ＷＥＢページ生成部、４６…入力部、４９…通信制御部、５１…指示情報要求画面、５３…指示情報表示欄、５４…検索情報入力欄、５６…工事コード入力ボックス、５７…現場コード入力ボックス、５９…検種リストボックス、６０…検査員コード入力ボックス、６２…指示情報要求ボタン、６５…指示情報提示画面、６７…検査結果入力欄、６９ａ，６９ｂ…ラジオボタン、７０…コメント入力ボックス、７２…検査データ送信ボタン。
【図１】
2006178584.tif 000003
【図２】
2006178584.tif 000004
【図３】
2006178584.tif 000005
【図４】
2006178584.tif 000006
【図５】
2006178584.tif 000007
【図６】
2006178584.tif 000008
【図７】
2006178584.tif 000009
【図８】
2006178584.tif 000010
【図９】
2006178584.tif 000011
【図１０】
2006178584.tif 000012
【図１１】
2006178584.tif 000013